(57)【要約】【課題】ふとん表面からの塵取れ性及び操作性に優れた電気掃除機用吸込具を提供する。【解決手段】上部枠体１１と、上部枠体１１に係合すると共に塵埃を吸引する開口１６を長手方向に延設した下部枠体１４と、開口１６の前後に回転自在に設けられ外周に複数の突起１９ａを有する回転体１９と、開口１６内の前後に配された複数の毛ブラシ１７とを備えたもので、ふとん（図示せず）の上で吸込具１０を移動させると、回転体１９の外周の設けた突起１９ａがふとんの表面に当たって回転体１９が回転し、そのとき突起１９ａでふとんの表面をたたいて内部の塵埃をたたき出し、さらに、ふとんの表面の繊維に絡みついた塵埃が、開口１６内に配された毛ブラシ１７で効率よくかきとられるので、ふとん類の清掃性能が著しく向上する。同時に、毛ブラシ１７によりふとんの表面が開口１６に吸着するのが防止できるので、操作性が極めてよい。【選択図】図２
2007215814.tif 000002
【特許請求の範囲】
【請求項１】
上部枠体と、前記上部枠体に係合すると共に塵埃を吸引する開口を長手方向に延設した下部枠体と、前記開口の前後に回転自在に設けられ外周に複数の突起を有する回転体と、前記開口内の前後に配された複数の毛ブラシとを備えた電気掃除機用吸込具。
【請求項２】
前方の毛ブラシを後方に、後方の毛ブラシを前方にそれぞれ傾斜させた請求項１に記載の電気掃除機用吸込具。
【請求項３】
前方の毛ブラシを前方に、後方の毛ブラシを後方にそれぞれ傾斜させた請求項１に記載の電気掃除機用吸込具。
【請求項４】
開口内の前後に毛ブラシを複数列設け、前方の列の毛ブラシの突出代を後方の列の毛ブラシのそれより短く設定した請求項１に記載の電気掃除機用吸込具。
【請求項５】
開口内の前後に毛ブラシを複数列設け、前方の列を、長い毛ブラシと短い毛ブラシを交互に配して構成した請求項１に記載の電気掃除機用吸込具。
【請求項６】
開口内の前後に毛ブラシを複数列設け、前方の列を毛足の柔らかい毛ブラシで構成した請求項１に記載の電気掃除機用吸込具。
【請求項７】
電動送風機を内蔵した掃除機本体と、請求項１〜６のいずれか１項に記載の電気掃除機用吸込具を備えた電気掃除機。
【発明の詳細な説明】
【技術分野】
【０００１】
本発明は、一般家庭で使用されるふとん掃除用の電気掃除機用吸込具及び電気掃除機に関するものである。
【背景技術】
【０００２】
近年、ダニなどによるアレルギ−症状を持つ人が増えている。ダニが繁殖する場所として最も多いのが、ふとんで、そのふとんの掃除を念入りに行うことで症状を軽減することができることが分かってきた。そのためふとんから効率よく塵埃を吸引する電気掃除機用吸込具が求められており、その例として、図６に示す様な構成の電気掃除機用吸込具があった（例えば、特許文献１参照）。
【０００３】
図７において、従来のこの種の電気掃除機用吸込具の外郭は、上部枠体１と下部枠体２により形成されており、内部に集塵室３を有し、前記集塵室３の掃除面方向には下部枠体２に開口４が設けられている。電気掃除機用吸込具の後部上方には、塵埃を吸引するための吸気口５が形成され、その吸気口５に、電気掃除機（図示せず）に接続される吸気パイプ６が回転自在に保持されている。又、下部枠体２の前後には開口４を挟むように、複数の突起７ａを有する一対の回転体７が、回転自在に設けられている。
【０００４】
上記構成により、ふとん（図示せず）上を、電気掃除機に接続した本電気掃除機用吸込具を移動させることにより、回転体７の突起７ａがふとん表面を叩きながら移動するため、ふとんから塵埃を吸引することができる。
【特許文献１】特公平２−１５４７２７号公報
【発明の開示】
【発明が解決しようとする課題】
【０００５】
しかしながら、上記従来の電気掃除機用吸込具に保持されている回転体７は、駆動装置を有していないため、電気掃除機用吸込具を前後に動かした時、ふとんの上面を叩くだけの効果しかなく、主に電気掃除機用吸込具の中央部に設けた開口４がふとんに吸い付いて塵埃を吸引するようになっていた。そのためふとん表面に絡みついた塵埃を掻きだすことができないという課題があった。さらに開口４がふとんに吸い付くため、操作性が極めて悪く、操作時に、使用者に過大な負担を与えてしまうといった課題もあった。
【０００６】
本発明は、上記従来の課題を解決するもので、ふとん掃除時に、過度にふとんに吸い付くことがなく、操作性に優れ、さらにふとんの繊維内に絡まった塵も確実に吸引することができる電気掃除機用吸込具を提供することを目的とするものである。
【課題を解決するための手段】
【０００７】
上記従来の課題を解決するために、本発明の電気掃除機用吸込具は、上部枠体と、前記上部枠体に係合すると共に塵埃を吸引する開口を長手方向に延設した下部枠体と、前記開口の前後に回転自在に設けられ外周に複数の突起を有する回転体と、前記開口内の前後に配された複数の毛ブラシとを備えたもので、ふとんの上で電気掃除機用吸込具を移動させると、回転体の外周に設けた突起がふとんの表面に当たって回転体が回転し、そのとき前記突起でふとんの表面をたたいて内部の塵埃をたたき出し、さらに、ふとんの表面の繊維に絡みついた塵埃が、開口内に配された毛ブラシで効率よくかきとられるので、ふとん類の清掃性能が著しく向上する。同時に、毛ブラシによりふとんの表面が開口に吸着するのが防止できるので、操作性が極めてよい電気掃除機用吸込具を提供することができる。
【０００８】
又、本発明の電気掃除機は、電動送風機を内蔵した掃除機本体と、請求項１〜６のいずれか１項に記載の電気掃除機用吸込具を備えたもので、ふとんの清掃性、表面に付着した塵埃の除去性能並びに操作性に優れた電気掃除機を提供することができる。
【発明の効果】
【０００９】
本発明の電気掃除機用吸込具及び電気掃除機は、効率よくふとんの塵埃を除去できると共に、ふとんへの吸着を低減し、軽く操作できるもので、ふとん掃除時の肉体的疲労の低減を図ることができる。
【発明を実施するための最良の形態】
【００１０】
第１の発明は、上部枠体と、前記上部枠体に係合すると共に塵埃を吸引する開口を長手方向に延設した下部枠体と、前記開口の前後に回転自在に設けられ外周に複数の突起を有する回転体と、前記開口内の前後に配された複数の毛ブラシとを備えたもので、ふとんの上で電気掃除機用吸込具を移動させると、回転体の外周に設けた突起がふとんの表面に当たって回転体が回転し、そのとき前記突起でふとんの表面をたたいて内部の塵埃をたたき出し、さらに、ふとんの表面の繊維に絡みついた塵埃が、開口内に配された毛ブラシで効率よくかきとられるので、ふとん類の清掃性能が著しく向上する。同時に、毛ブラシによりふとんの表面が開口に吸着するのが防止できるので、操作性が極めてよい電気掃除機用吸込具を提供することができる。
【００１１】
第２の発明は、特に、第１の発明の前方の毛ブラシを後方に、後方の毛ブラシを前方にそれぞれ傾斜させたもので、電気掃除機用吸込具をふとんの上で前後に移動させると、移動方向側に傾斜した毛ブラシで効果的にふとんの表面の塵埃を掻き出し、移動方向と反対側に傾斜した毛ブラシは、移動時に容易に撓んで抵抗にならず、操作を重くしないため、効率よく塵を掻き出しながら操作性も損なうことがない。
【００１２】
第３の発明は、特に、第１の発明の前方の毛ブラシを前方に、後方の毛ブラシを後方にそれぞれ傾斜させたもので、電気掃除機用吸込具をふとんの上で前後に移動させると、移動方向側に傾斜した毛ブラシで効果的にふとんの表面の塵埃を掻き出し、移動方向と反対側に傾斜した毛ブラシは、移動時に容易に撓んで抵抗にならず、操作を重くしないため、効率よく塵を掻き出しながら操作性も損なうことがない。
【００１３】
第４の発明は、特に、第１の発明の開口内の前後に毛ブラシを複数列設け、前方の列の毛ブラシの突出代を後方の列の毛ブラシのそれより短く設定したもので、電気掃除機用吸込具をふとんの上で操作すると、前方の毛ブラシの突出代が後方の毛ブラシのそれより短いので、開口により多くの吸引風を取り入れることができると共に、前方の短い毛ブラシがふとんの表面の塵埃を取り残しても、後方の毛ブラシが確実に掻きだし捕集するため、集塵効率が向上する。
【００１４】
第５の発明は、特に、第１の発明の開口内の前後に毛ブラシを複数列設け、前方の列を、長い毛ブラシと短い毛ブラシを交互に配して構成したもので、毛ブラシを、開口内の前後に複数列配設することにより、塵埃の掻きだし性、操作性が向上すると共に、前方の列を、長い毛ブラシと短い毛ブラシを交互に配して構成したことにより、毛ブラシの部分での吸気のための開口面積が十分確保され、毛ブラシで掻き出された塵埃の吸引性能が向上する。
【００１５】
第６の発明は、特に、第１の発明の開口内の前後に毛ブラシを複数列設け、前方の列を毛足の柔らかい毛ブラシで構成したもので、毛ブラシを開口内の前後に複数列形成することにより、塵の掻きだし性、操作性が向上すると共に、開口の前方に配置した毛ブラシの材質が後方の毛ブラシより柔らかいので、柔らかなふとんを掃除するときに前方の毛ブラシが抵抗になり難いため、操作性を妨げることがない。
【００１６】
第７の発明は、電動送風機を内蔵した掃除機本体と、請求項１〜６のいずれか１項に記載の電気掃除機用吸込具を備えたもので、ふとんの清掃性、表面に付着した塵埃の除去性能並びに操作性に優れた電気掃除機を提供することができる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における電気掃除機用吸込具を接続した電気掃除機の全体構成を示す図、図２は、同電気掃除機用吸込具の断面図と下面図である。
【００１９】
図１、２において、２０は、掃除機本体で、後部に空気を吸引する電動送風機２１が、前部に電動送風機２１と連通すると共に、吸引された塵埃を捕集する集塵室２２が配されている。２３は、集塵室２２に連通すると共に、ホース２４の一端が接続される吸引口で、ホース２４の他端には、延長管２５の一端が接続される先端パイプ２６が設けられている。延長管２５の上流側端部には、本実施の形態における電気掃除機用吸込具１０（以下「吸込具１０」という）が接続されている。
【００２０】
吸込具１０の外郭１０ａは、後部に掃除機本体２０に塵埃を導くための吸気口１２を有する上部枠体１１と、上部枠体１１に係合された下部枠体１４から構成されている。吸気口１２の端部には、延長管２５に接続される吸気パイプ１３が回転自在に保持されている。
【００２１】
又、上部枠体１１と下部枠体１４により集塵部１５を形成し、その下方中央部にふとん２７から塵埃を吸引するための開口１６が吸込具１０の長手方向に延設されている。開口１６の内部には、被掃除面に向かって突出する複数の毛ブラシ１７が保持されており、その周囲には、開口１６と連通し、外気と共に塵埃を吸引する通路となる吸気通路１８が形成されている。また、開口１６の前後には、ふとん２７を叩くための複数の突起１９ａを外周面に有する一対の回転体１９が、回転自在に保持されている。
【００２２】
なお、本実施の形態では、毛ブラシ１７は、前後に複数列（２列）配設され、前方の毛ブラシ１７を後方に、後方の毛ブラシ１７を前方にそれぞれ傾けて設けている。
【００２３】
以上のように構成された吸込具１０の動作、作用は以下のとおりである。
【００２４】
吸込具１０の吸気パイプ１３を、掃除機本体２０にホース２４を介して接続された延長管２５の先端に接続し、吸込具１０をふとん２７に接地させた状態で、吸込具１０を前後させると、下部枠体１４の前後に回転自在に保持された回転体１９が回転すると共に、その表面に設けた複数の突起１９ａがふとん２７の表面を叩き振動を与える。
【００２５】
さらに開口１６内部に保持された毛ブラシ１７によりふとん２７の表面の布の内部に入り込んだダニなどのアレルギーの原因となる微細な粉塵を繊維から掻きだす。毛ブラシ１７は、開口１６内の前後に配設されているため、一旦繊維から離れたダニなどの微粉末は、容易に開口１６から吸い取ることができ、効率よく吸引できる。
【００２６】
又、毛ブラシ１７を複数列配設し（本実施の形態では、前後に２列）、前方の毛ブラシ１７を後方に、後方の毛ブラシ１７を前方にそれぞれ傾けているので、吸込具１０を前方に動かす時には、後方の毛ブラシ１７が効果的にふとん２７の表面から塵埃を掻き出し、開口１６に導く、このとき前方の毛ブラシ１７は、容易に後方に撓むため、抵抗にならず、操作を重くしないため、効率よく塵を掻き出しながら操作性も損なうことがないという効果が得られる。また、吸込具１０を後方に動かすときは、前述と逆に作用し、前方の毛ブラシ１７が効果的にふとん２７の表面から塵埃を掻き出すことが出来、後方のブラシ１７は抵抗にならずに操作性を良好に保てるものである。
【００２７】
また、開口１６内部に毛ブラシ１７を配設しているので、ふとん２７が開口１６に過度に吸い付くことも防止できる。さらに、前後の毛ブラシ１７を、開口１６の内向きに配しているため、吸込具１０がふとん２７に吸着しようとしたとき突っ張り、不必要な吸着を抑えて、操作性を向上させることができ、軽操作で集塵効率の良い吸込具１０を提供することができる。
【００２８】
（実施の形態２）
図３は、本発明の第２の実施の形態における電気掃除機用吸込具の断面図と下面図である。なお、上記第１の実施の形態と同一構成部分については、同一符号を付してその説明を省略する。
【００２９】
本実施の形態は、図３に示すように、開口１６内に毛ブラシ１７を前後に複数列配すると共に、前方の毛ブラシ１７を前方に、後方の毛ブラシ１７を後方にそれぞれ傾けて、ふとん２７の掃除時に、毛ブラシ１７がふとん２７の表面に効率良く当たるようにしたものである。すなわち吸込具１０を前方に動かした時、前方に傾斜させた前方の毛ブラシ１７が効果的にふとん２７の表面から塵埃を掻き出し、後方に傾斜させた後方の毛ブラシ１７は、操作時、抵抗にならず操作性を妨げることがない。
【００３０】
また、吸込具１０を後方に動かした時は、前記と逆に動作し、後方の毛ブラシ１７が効果的にふとん２７の表面から塵埃を掻き出し、前方の毛ブラシ１７は、操作時、抵抗にならず、軽く掃除を行うことが出来る。
【００３１】
以上のように、本実施の形態によれば、毛ブラシ１７が突っ張りとなり、開口１６にふとん２７の生地が吸い付くのを確実に防止し、使い勝手、集塵効率が良好な吸込具１０を提供することができる。
【００３２】
また、前方の毛ブラシ１７が前側に、後方の毛ブラシ１７が後側にそれぞれ傾斜して、開口１６内で毛ブラシ１７が外向きに配されることにより、開口１６による吸引範囲が広くなって塵埃の吸引性能が向上する。さらに、ふとん２７に絡みついた塵埃は、軽いため毛ブラシ１７で表面から容易に引き剥されて、容易に吸い込むことができる。従って毛ブラシ１７を外向きに傾斜させることにより吸い込み面積を広く形成でき、集塵効果を向上させることができる。
【００３３】
（実施の形態３）
図４は、本発明の第３の実施の形態における電気掃除機用吸込具の断面図と下面図である。なお、上記実施の形態と同一構成部分については、同一符号を付してその説明を省略する。
【００３４】
本実施の形態は、図４に示すように、吸込具１０の下部枠体１４に形成した開口１６の被掃除面側（ふとん２７側）に複数の毛ブラシ１７を前後に列をなして形成すると共に、前方の列の毛ブラシ１７の突出代を後方の列の毛ブラシ１７のそれより短く設定したものである。
【００３５】
上記のように構成された吸込具１０の作用は以下の通りである。
【００３６】
吸込具１０をふとん２７の上で操作すると、前後の毛ブラシ１７がふとん２７の表面および内部の細塵を掻きだすことになる。そのとき前方の毛ブラシ１７の突出代が後方の毛ブラシ１７のそれより短いので、開口１６に多くの吸引風を取り入れることができる。又、前方の毛ブラシ１７が短いため、ふとん２７の表面の塵埃を取り残しても後方の毛ブラシ１７が掻きだし捕集するため、集塵効率が良好となる。
【００３７】
なお、上記実施の形態では、前方の毛ブラシ１７を短く形成する場合について説明したが、後方の毛ブラシ１７を前方の毛ブラシ１７より短くしても、前述と同じ効果を得ることができることは言うまでも無い。
【００３８】
以上のように、本実施の形態によれば、操作性が良好でしかも塵取れ性が良い吸込具１０を提供することができるものである。
【００３９】
（実施の形態４）
図５は、本発明の第４の実施の形態における電気掃除機用吸込具の前面図と断面図である。なお、上記実施の形態と同一構成部分については、同一符号を付してその説明を省略する。
【００４０】
本実施の形態は、図５に示すように、下部枠体１４に、ふとん２７に接地する一対の回転自在の回転体１９を設けると共に、開口１６の前後に複数の毛ブラシ１７の列を設け、前列の毛ブラシ１７を、吸込具１０の長手方向において、長短交互に配置したものである。
【００４１】
上記のように構成された吸込具１０の作用は以下の通りである。
【００４２】
毛ブラシ１７を、前後に複数列（本実施の形態では２列）配設することにより、塵埃の掻きだし性が向上し、操作性も良好となる。一般に、毛ブラシ１７を複数列配設することにより、塵埃を吸引するための開口１６の開口面積が少なくなるため、髪の毛などの塵が吸いにくくなるが、本実施の形態では、前側の毛ブラシ１７を長短交互に配置しているので、吸気のための開口面積を十分確保しながら、毛ブラシ１７により塵を掻き出す効果も併せ持つことができるものである。
【００４３】
なお、上記実施の形態では、開口１６の前方の毛ブラシ１７を長短交互に配置したが、後方の毛ブラシ１７を長短交互に配置するようにしても構わない。或いは、前後の両毛ブラシ１７を長短交互に配置しても構わなく、前述と同様の効果を得ることができる。
【００４４】
（実施の形態５）
図６は、本発明の第５の実施の形態における吸込具１０の断面図と下面図である。
【００４５】
なお、上記実施の形態と同一構成部分については、同一符号を付してその説明を省略する。
【００４６】
本実施の形態は、図６に示すように、下部枠体１４に、ふとん２７に接地する回転自在の一対の回転体１９を設け、開口１６の下部の前後に複数の毛ブラシ１７の列を配置し、前列の毛ブラシ１７を、後列の毛ブラシ１７より柔らかな材質で形成したものである。
【００４７】
上記のように構成された吸込具１０の作用は以下の通りである。
【００４８】
毛ブラシ１７を開口１６の前後に複数列形成することにより、塵の掻きだし性が向上し、操作性も良好となる。一般に、毛ブラシ１７の本数や列数が多くなると柔らかなふとん２７を掃除する時に、毛ブラシ１７がふとん２７の生地に絡み易くなり、操作性が悪くなるが、本実施の形態では、開口１６の前方に配置した毛ブラシ１７の材質を後方の毛ブラシ１７より柔らかな材質で形成しているので、柔らかなふとん２７を掃除するときに前方の毛ブラシ１７は抵抗になり難いため、操作性を妨げることがない。
【００４９】
なお、本実施の形態では、前方の毛ブラシ１７の材質を、後方の毛ブラシ１７より柔らかいものにしたが、後方の毛ブラシ１７に柔らかな材質を用いたり、あるいは、前後の毛ブラシ１７共柔らかな材質で形成しても良く、特にこの場合は、よりふとん２７生地にやさしい吸込具１０を提供することができるものである。
【産業上の利用可能性】
【００５０】
以上のように、本発明にかかる電気掃除機用吸込具は、ふとん掃除時に過度にふとんに吸い付くのを防止し、操作性が良好で、さらにふとんの繊維内に絡まった塵も効率よく捕集することができるもので、家庭用、業務用の各種電気掃除機に使用される電気掃除機用吸込具に広く適用できる。
【図面の簡単な説明】
【００５１】
【図１】本発明の第１の実施の形態における電気掃除機用吸込具を接続した電気掃除機の全体構成を示す図
【図２】（ａ）同電気掃除機用吸込具の断面図（ｂ）同電気掃除機用吸込具の下面図
【図３】（ａ）本発明の第２の実施の形態における電気掃除機用吸込具の断面図（ｂ）同電気掃除機用吸込具の下面図
【図４】（ａ）本発明の第３の実施の形態における電気掃除機用吸込具の断面図（ｂ）同電気掃除機用吸込具の下面図
【図５】（ａ）本発明の第４の実施の形態における電気掃除機用吸込具の前面図（ｂ）同電気掃除機用吸込具の断面図
【図６】（ａ）本発明の第５の実施の形態における電気掃除機用吸込具の断面図（ｂ）同電気掃除機用吸込具の下面図
【図７】（ａ）従来の電気掃除機用吸込具の断面図（ｂ）同電気掃除機用吸込具の下面図
【符号の説明】
【００５２】
１０    電気掃除機用吸込具（吸込具）
１１    上部枠体
１４    下部枠体
１５    集塵部
１６    開口
１７    毛ブラシ
１９    回転体
１９ａ  突起
【図１】
2007215814.tif 000003
【図２】
2007215814.tif 000004
【図３】
2007215814.tif 000005
【図４】
2007215814.tif 000006
【図５】
2007215814.tif 000007
【図６】
2007215814.tif 000008
【図７】
2007215814.tif 000009